(57)【要約】【課題】張出部に隣接して設けられる屋内空間のプランニングの自由度を確保しつつ、張出部の沈み込みを抑制することができる建物の張出部連結構造を提供する。【解決手段】建物は、複数の建物ユニットからなる建物本体と、建物本体から張り出して設けられたバルコニー３０とを備える。バルコニー３０は、吹き抜け上ユニット２０ｂの上階床大梁２３Ａに連結され上階床大梁２３Ａと直交する方向に延びる複数のキャンチ梁３５を備える。下階天井大梁２２Ａと上階床大梁２３Ａとの連結部には、規制部材４５が設けられている。規制部材４５は、下階天井大梁２２Ａの上面と上階床大梁２３Ａの下面との間に設けられたベース部４５ａと、ベース部４５ａから上方に延びて上階床大梁２３Ａの下フランジ２３ａの屋内側端部に当接する上当接部４５ｂと、ベース部４５から下方に延びて下階天井大梁２２Ａの上フランジ２２ａの屋外側端部に当接する下当接部４５ｃとを備える。【選択図】図４
2011236700.tif 000002
【特許請求の範囲】
【請求項１】
梁及び柱からなる複数の建物ユニットにより構築される多層階の建物本体と、前記建物本体から張り出した状態で設けられる張出部とを備える建物に適用され、
前記建物本体の階間部分において上下に隣接する上階ユニットの上階床梁と下階ユニットの下階天井梁とのいずれか一方に前記張出部が連結された建物の張出部連結構造において、
前記上階床梁と前記下階天井梁との対向部分には、前記上階床梁の下端部が屋内側、前記下階天井梁の上端部が屋外側となるそれら両者の相対変位を規制する規制部材が設けられていることを特徴とする建物の張出部連結構造。
【請求項２】
前記規制部材は、前記上階床梁に当接する上当接部と、前記下階天井梁に当接する下当接部とを備え、前記上当接部が前記上階床梁に当接しかつ前記下当接部が前記下階天井梁に当接することにより、前記上階床梁の下端部と前記下階天井梁の上端部との前記相対変位を規制することを特徴とする請求項１に記載の建物の張出部連結構造。
【請求項３】
前記規制部材は、前記上階床梁の下端部と下階天井梁の上端部との間の梁間隙間に設けられるベース部を備え、
前記上当接部は、前記ベース部において前記上階床梁の下端部よりも屋内側に設けられ、
前記下当接部は、前記ベース部において前記下階天井梁の上端部よりも屋外側に設けられていることを特徴とする請求項２に記載の建物の張出部連結構造。
【請求項４】
前記ベース部は、前記梁間隙間の上下幅と略同じ厚みを有する板状をなしており、その上面が前記上階床梁の下端部に当接しかつ下面が前記下階天井梁の上端部に当接していることを特徴とする請求項３に記載の建物の張出部連結構造。
【請求項５】
前記上階床梁は、ウェブとフランジとを有してなる開断面の形鋼からなり、その溝部を屋内側に向けて設置されており、
前記規制部材は、前記上当接部から前記上階床梁の下端部を形成する下側フランジの上面に沿って屋外側に延びる延出部を備えることを特徴とする請求項３又は４に記載の建物の張出部連結構造。
【請求項６】
前記張出部は、前記上階床梁及び前記下階天井梁のいずれかの梁に連結され当該梁に交差する方向に延びる複数の支持梁を備え、
前記規制部材は、前記上階床梁又は前記下階天井梁の長手方向において前記各支持梁の連結部位に設けられていることを特徴とする請求項１乃至５のいずれか一項に記載の建物の張出部連結構造。
【請求項７】
前記規制部材は、前記上階床梁と前記下階天井梁との対向部分において前記各梁の長手方向全域に連続して又は分散して設けられていることを特徴とする請求項１乃至６のいずれか一項に記載の建物の張出部連結構造。
【請求項８】
前記規制部材は、上階ユニットの前記上階床梁及び下階ユニットの前記下階天井梁のいずれか一方にユニット製造工場にて先付けされ、施工現場にて上下２つの建物ユニットを積層配置することで階間部分に固定されることを特徴とする請求項１乃至７のいずれか一項に記載の建物の張出部連結構造。
【発明の詳細な説明】
【技術分野】
【０００１】
本発明は、建物の張出部連結構造に関する。
【背景技術】
【０００２】
ユニット式建物では、複数の建物ユニットにより構築された建物本体に屋外側に張り出したキャンチバルコニー（以下、バルコニーという）が設置される場合がある（例えば特許文献１）。この種のバルコニーは、上下階を有してなる建物においては上階部を構成する上階ユニットから張り出して設置される。この場合、例えば一端が上階ユニットの床大梁に連結されて当該床大梁から屋外側に延びる複数のキャンチ梁によりバルコニーを支持する構成としている。つまり、バルコニーをキャンチ梁により片持ち支持する構成としている。
【０００３】
かかる片持ち支持の構成では、バルコニーの荷重（例えば自重）がキャンチ梁を介して固定端側の床大梁に伝わると、その固定端側の床大梁には当該床大梁が屋外側に倒れ込む向きの回転力（モーメント）が生じる。具体的には、固定端側の床大梁はその長手方向の両端部において隣接する床大梁と連結されており、そのため固定端側の床大梁にはその連結部を支点とした回転力が生じる。ここで、この回転力により床大梁が上記の向きに回転すると、それに伴いキャンチ梁（詳細にはその屋外側）が下方に沈み込み、ひいてはバルコニーが下方に沈み込むという問題が生じうる。
【０００４】
そこで、その対策としてキャンチ梁が連結された床大梁の上記回転を規制するためにバルコニーの屋内側に控え梁を設けることが考えられている。この控え梁は、例えば上階ユニットにおいてキャンチ梁が連結された床大梁とその床大梁に離間対向して設置された床大梁との間に架け渡される。この場合、キャンチ梁が連結された床大梁の回転が規制されるため、バルコニーの沈み込みを抑制することができる。
【先行技術文献】
【特許文献】
【０００５】
【特許文献１】特開平１０−４６６６８号公報
【発明の概要】
【発明が解決しようとする課題】
【０００６】
ところで、上述した控え梁を設ける構成とすると、控え梁が上階ユニットの床側において、換言すると上階ユニットと下階ユニットとの間の階間部において対向する床大梁間に架け渡されることとなるため、階間部を介して上下に連続する吹き抜け空間等の開放空間を形成するのが困難となる。つまり、建物本体においてバルコニーに隣接した屋内空間のプランニングに制約が生じることとなる。
【０００７】
また、建物本体から張り出して設けられる庇等その他の張出部についても上階ユニットの床大梁に連結させる構成とすれば、上述したバルコニーの場合と同様、張出部の荷重により床大梁が回転し張出部が沈み込む可能性がある。そして、床大梁の回転を規制するために控え梁を設ければ上記同様の問題が生じうる。
【０００８】
本発明は、上記事情に鑑みてなされたものであり、張出部に隣接して設けられる屋内空間のプランニングの自由度を確保しつつ、張出部の沈み込みを抑制することができる建物の張出部連結構造を提供することを主たる目的とするものである。
【課題を解決するための手段】
【０００９】
上記課題を解決すべく、第１の発明の建物の張出部連結構造は、梁及び柱からなる複数の建物ユニットにより構築される多層階の建物本体と、前記建物本体から張り出した状態で設けられる張出部とを備える建物に適用され、前記建物本体の階間部分において上下に隣接する上階ユニットの上階床梁と下階ユニットの下階天井梁とのいずれか一方に前記張出部が連結された建物の張出部連結構造において、前記上階床梁と前記下階天井梁との対向部分には、前記上階床梁の下端部が屋内側、前記下階天井梁の上端部が屋外側となるそれら両者の相対変位を規制する規制部材が設けられていることを特徴とする。
【００１０】
建物本体の階間部分において上下に隣接する上階床梁及び下階天井梁のいずれかに張出部が連結される場合、その連結された梁には張出部の荷重による回転力が生じる。この場合、張出部が連結された梁は、相対的に言って上端部が屋外側、下端部が屋内側に変位する向きで回転力が生じる。そこで、本発明ではこの点に着目し、上階床梁の下端部が屋内側、下階天井梁の上端部が屋外側となるそれら両者の相対変位を規制する規制部材を設けることとしている。この場合、上階床梁の下端部が下階天井梁の上端部に対し屋内側に移動するのが規制されるため、張出部を上階床梁に連結する場合に上階床梁が張出部の荷重により回転するのを規制できる。また、下階天井梁の上端部が上階床梁の下端部に対し屋外側に移動するのが規制されるため、張出部を下階天井梁に連結する場合に下階天井梁が張出部の荷重により回転するのを規制できる。よって、この場合張出部の沈み込みを抑制することができる。
【００１１】
そして、規制部材は上階床梁と下階天井梁との対向部分に設けられているため、規制部材が張出部に隣接する屋内空間を形成するに際し邪魔になることがない。これにより、張出部に隣接して設けられる屋内空間のプランニングの自由度を確保しつつ、張出部の沈み込みを抑制することができる。
【００１２】
第２の発明の建物の張出部連結構造は、第１の発明において、前記規制部材は、前記上階床梁に当接する上当接部と、前記下階天井梁に当接する下当接部とを備え、前記上当接部が前記上階床梁に当接しかつ前記下当接部が前記下階天井梁に当接することにより、前記上階床梁の下端部と前記下階天井梁の上端部との前記相対変位を規制することを特徴とする。
【００１３】
本発明によれば、上当接部が上階床梁に当接しかつ下当接部が下階天井梁に当接することにより、下階天井梁の上端部と上階床梁の下端部との上記相対変位が規制される。この場合、現場施工時に上階床梁と下階天井梁との対向部分に規制部材を設置する等の簡易な作業を行うだけで上記第１の発明の効果を得ることができる。
【００１４】
第３の発明の建物の張出部連結構造は、第２の発明において、前記規制部材は、前記上階床梁の下端部と下階天井梁の上端部との間の梁間隙間に設けられるベース部を備え、前記上当接部は、前記ベース部において前記上階床梁の下端部よりも屋内側に設けられ、前記下当接部は、前記ベース部において前記下階天井梁の上端部よりも屋外側に設けられていることを特徴とする。
【００１５】
本発明によれば、上当接部が上階床梁の下端部よりも屋内側において同上階床梁に当接し、かつ下当接部が下階天井梁の上端部よりも屋外側において同下階天井梁に当接することにより、下階天井梁の上端部と上階床梁の下端部との上記相対変位が規制される。この場合、上階床梁や下階天井梁に対し規制部材を取り付けるための取付孔等を加工する等して設けなくても規制部材を各梁の対向部分に設置できるため、構成の簡素化を図ることができる。
【００１６】
ところで、上階床梁の下端部又は下階天井梁の上端部に孔部（例えば貫通孔）を設け、その孔部に当接部を挿通させる構成としても規制部材による上記相対変位の規制をすることはできる。但し、この場合、当接部をピン等により長細形状に形成する必要があるため、規制部材による上記相対変位の規制時に、当接部に作用する荷重によって当接部が破損するおそれがある。その点、本発明の構成とすれば、当接部を幅の大きい板状形状にする等荷重に耐えうる形状とすることが可能であるため、かかる不都合を回避できる利点もある。
【００１７】
また、この場合、上当接部をベース部の屋内側端部から上方に突出させ、下当接部をベース部の屋外側端部から下方に突出させるのが望ましい。そうすれば、規制部材が全体として断面略Ｚ字状に形成されるため、規制部材を簡素な構成とすることができる。
【００１８】
第４の発明の建物の張出部連結構造は、第３の発明において、前記ベース部は、前記梁間隙間の上下幅と略同じ厚みを有する板状をなしており、その上面が前記上階床梁の下端部に当接しかつ下面が前記下階天井梁の上端部に当接していることを特徴とする。
【００１９】
張出部の荷重により上階床梁又は下階天井梁が回転する場合には、梁間隙間が局所的に狭くなることが考えられる。そこで、本発明ではこの点に着目し、ベース部の上面及び下面をそれぞれ上階床梁の下端部、下階天井梁の上端部に当接させている。これにより、上階床梁又は下階天井梁の回転時にはベース部が抵抗となり回転を抑制することができるため、張出部の沈み込みをより一層抑制することができる。
【００２０】
第５の発明の建物の張出部連結構造は、第３又は第４の発明において、前記上階床梁は、ウェブとフランジとを有してなる開断面の形鋼からなり、その溝部を屋内側に向けて設置されており、前記規制部材は、前記上当接部から前記上階床梁の下端部を形成する下側フランジの上面に沿って屋外側に延びる延出部を備えることを特徴とする。
【００２１】
本発明によれば、張出部が連結された上階床梁が張出部の荷重により回転する際に、上階床梁の下側フランジが上当接部を乗り越えるのを当該上当接部より屋外側に延びる延出部によって防止できる。これにより、下側フランジが上当接部を乗り越えて上階床梁の回転を上当接部により規制できなくなる不都合を回避できる。
【００２２】
第６の発明の建物の張出部連結構造は、第１乃至第５のいずれかの発明において、前記張出部は、前記上階床梁及び前記下階天井梁のいずれかの梁に連結され当該梁に交差する方向に延びる複数の支持梁を備え、前記規制部材は、前記上階床梁又は前記下階天井梁の長手方向において前記各支持梁の連結部位に設けられていることを特徴とする。
【００２３】
張出部が備える複数の支持梁が上階床梁及び下階天井梁のいずれかに連結される構成では、張出部の荷重が各支持梁を介して上階床梁等に伝達されるため、上階床梁等では支持梁との連結部位においてより大きな回転力が発生することが考えられる。この点、本発明では、上階床梁等の長手方向において各支持梁の連結部位に規制部材が設けられているため、張出部の荷重により上階床梁等が回転するのを効果的に抑制することができ、ひいては張出部の沈み込みを効果的に抑制することができる。
【００２４】
第７の発明の建物の張出部連結構造は、第１乃至第６いずれかの発明において、前記規制部材は、前記上階床梁と前記下階天井梁との対向部分において前記各梁の長手方向全域に連続して又は分散して設けられていることを特徴とする。
【００２５】
本発明によれば、上階床梁と下階天井梁との対向部分において各梁の長手方向全域に規制部材が設けられているため、張出部の荷重によって生じる上階床梁又は下階天井梁の回転を各梁の長手方向全域において規制することができる。これにより、張出部の沈み込みを抑制する効果を高めることができる。
【００２６】
第８の発明の建物の張出部連結構造は、第１乃至第７のいずれかの発明において、前記規制部材は、上階ユニットの前記上階床梁及び下階ユニットの前記下階天井梁のいずれか一方にユニット製造工場にて先付けされ、施工現場にて上下２つの建物ユニットを積層配置することで階間部分に固定されることを特徴とする。
【００２７】
本発明によれば、ユニット製造工場において規制部材が上階床梁及び下階天井梁のいずれか一方に先付けされるため、施工現場ではこれら各梁を備える上下の建物ユニットを積層配置するだけで規制部材が階間部分に設置される。これにより、施工現場において規制部材の設置作業が不要となり、施工作業の負荷軽減を図ることができる。
【図面の簡単な説明】
【００２８】
【図１】ユニット式建物の全体を示す正面図。
【図２】建物ユニットを示す斜視図。
【図３】バルコニーの平面図。
【図４】バルコニーと建物本体との連結部周辺を示す縦断面図。
【図５】上階床大梁の回転状態を示す縦断面図。
【図６】別例における規制部材の構成を示す縦断面図。
【図７】別例における規制部材の構成を示す縦断面図。
【図８】別例における規制部材の構成を示す縦断面図。
【発明を実施するための形態】
【００２９】
以下に、本発明を具体化した一実施の形態について図面を参照しつつ説明する。本実施形態では、建物としてユニット式建物を採用している。なお、図１は、ユニット式建物の全体を示す正面図であり、図２は建物ユニットを示す斜視図である。
【００３０】
図１に示すように、建物１０は、基礎１１上に配設される建物本体１２と、この建物本体１２の上方に配設される屋根１３とにより構成されている。建物本体１２は、一階部分１４と二階部分１５とからなる二階建て建物であり、複数の建物ユニット２０が連結されることにより構成されている。
【００３１】
建物本体１２の二階部分１５には、建物本体１２から屋外側に張り出すようにキャンチバルコニー３０（以下、バルコニー３０という）が設けられている。建物本体１２には、上下に隣接する各建物ユニット２０を跨ぐように吹き抜け空間１８が形成されている。本実施形態では、吹き抜け空間１８がバルコニー３０と隣接して設けられており、吹き抜け空間１８にはバルコニー３０へ行き来するためのらせん階段（図示略）が設けられている。
【００３２】
なお、以下の説明では上記複数の建物ユニット２０のうち、吹き抜け空間１８を構成する一階部分１４の建物ユニット２０を吹き抜け下ユニット２０ａ、二階部分１５の建物ユニット２０を吹き抜け上ユニット２０ｂという。
【００３３】
次に、建物ユニット２０について簡単に説明する。
【００３４】
図２に示すように、建物ユニット２０において、その四隅には柱２１が配され、各柱２１の上端部及び下端部がそれぞれ４本の天井大梁２２、床大梁２３により連結されている。そして、それら柱２１、天井大梁２２及び床大梁２３により直方体状の骨格（フレーム）が形成されている。柱２１は四角筒状の角形鋼よりなる。また、天井大梁２２及び床大梁２３は断面コ字状の溝形鋼よりなり、その開口部が向き合うようにして設置されている。
【００３５】
建物ユニット２０の長辺部の相対する天井大梁２２の間には、所定間隔で複数の天井小梁２４が架け渡されている。同じく建物ユニット２０の長辺部の相対する床大梁２３の間には、所定間隔で複数の床小梁２５が架け渡されている。天井小梁２４と床小梁２５とはそれぞれ同間隔でかつ各々上下に対応する位置に水平に設けられている。但し、各建物ユニット２０のうち吹き抜け下ユニット２０ａには天井小梁２４が設けられておらず、吹き抜け上ユニット２０ｂには床小梁２５が設けられていない。これにより、吹き抜け下ユニット２０ａの天井側と吹き抜け上ユニット２０ｂの床側とにはそれぞれ大梁２２，２３により囲まれた開放空間が形成されており、この開放空間を通じて各吹き抜けユニット２０ａ，２０ｂ間を上下に連続する吹き抜け空間１８が形成される。
【００３６】
次に、バルコニー３０の構成について図３及び図４に基づいて説明する。なお、図３はバルコニーの平面図であり、図４はバルコニーと建物本体との連結部周辺を示す縦断面図である。
【００３７】
図３に示すように、バルコニー３０は、バルコニー床部３１とそのバルコニー床部３１を囲むようにして立設される腰壁３２とを備えている。そして、バルコニー床部３１は、図４に示すように、キャンチ梁３５と、根太３６と、床面材３７とを備えている。キャンチ梁３５は、一端部が吹き抜け上ユニット２０ｂの床大梁２３（以下、上階床大梁２３Ａという）に連結されて当該上階床大梁２３Ａから屋外側に延びるように設けられている。具体的には、キャンチ梁３５の屋内側端部にはエンドプレート５１が溶接固定され、そのエンドプレート５１が上階床大梁２３Ａにボルト５２により固定されている。
【００３８】
キャンチ梁３５は、バルコニー３０の幅方向（上階床大梁２３Ａの長手方向）に所定間隔をおいて複数設けられている。（図３参照）これら各キャンチ梁３５の屋外側端部には、キャンチ梁３５と直交する方向に延びるキャンチ連結梁３８が設けられ、このキャンチ連結梁３８に対して各キャンチ梁３５の屋外側端部が連結されている。
【００３９】
キャンチ梁３５の上方には、複数の根太３６がキャンチ梁３５と直交する向きで各キャンチ梁３５に跨って設けられている。これら各根太３６は、各キャンチ梁３５に対しそれぞれビス等で固定されている。各根太３６の上面にはバルコニー３０の床面を形成する床面材３７が設置されている。また、キャンチ梁３５の下面には長尺状の下地材４８が複数取り付けられ、これら下地材４８の下面にはバルコニー３０の底面を形成する軒天板４７がビス等により取り付けられている。
【００４０】
バルコニー３０の下方には、一階部分１４の外壁パネル４０が設けられている。外壁パネル４０は、屋外面を形成する外壁材４１と、外壁材４１の裏面側（屋内面側）に固定された下地フレーム４２とを備え、下地フレーム４２が吹き抜け下ユニット２０ａの天井大梁２２にボルト等により固定されている。図中では、下地フレーム４２の上端部に配設された断面コ字状の上端フレーム材４２ａが吹き抜け下ユニット２０ａの天井大梁２２（以下、下階天井大梁２２Ａという）に固定されている。この場合、外壁材４１の裏面と天井大梁２２の屋外側面との間に上端フレーム材４２ａが介在することで、これらの間には所定の隙間５３が形成されている。ここで、本実施形態では、上端フレーム材４２ａの上端位置がかかる隙間５３において上下方向の中間位置に設定されており、それ故上記隙間５３の上端側では上端フレーム材４２ａが存在しないスペースが存在している。
【００４１】
ところで、上述したバルコニー３０の支持構成はバルコニー３０をキャンチ梁３５によって片持ち支持する構成であるため、図５に示すように、片持ち支持の固定端となる上階床大梁２３Ａにはバルコニー３０の荷重により当該上階床大梁２３Ａが屋外側に倒れ込む向きの回転力（モーメント）が生じうる。そして、この回転力により上階床大梁２３Ａがかかる向きに回転すると、それに伴いキャンチ梁３５（詳細にはその屋外側）が下方に沈み込み、ひいてはバルコニー３０が下方に沈み込むという問題が生じうる。
【００４２】
ここで、上階床大梁２３Ａはその長手方向両端部において隣接する床大梁２３と連結されているため、上階床大梁２３Ａはその連結部を支点として上記の回転を行う。この場合、上階床大梁２３Ａは、その上端部が屋外側に変位し下端部が屋内側に変位するように回転することが考えられる。そこで本実施形態では、この点に着目し、吹き抜け下ユニット２０ａの下階天井大梁２２Ａと吹き抜け上ユニット２０ｂの上階床大梁２３Ａとの対向部分に、上階床大梁２３Ａの下端部が下階天井大梁２２Ａの上端部に対し屋内側に相対変位するのを規制する規制部材を設けることとしている。この場合、かかる相対変位を規制することで上階床大梁２３Ａがバルコニー３０の荷重により回転するのを規制することができるため、バルコニー３０の沈み込みを抑制することができる。本実施形態はこの点に特徴を有しており、以下その特徴的な構成について説明する。
【００４３】
図４に示すように、吹き抜け下ユニット２０ａの下階天井大梁２２Ａと吹き抜け上ユニット２０ｂの上階床大梁２３Ａとは上下に隣接して設けられており、これら各大梁２２Ａ，２３Ａの対向部分には規制部材４５が設けられている。規制部材４５は、例えば鋼板を折り曲げ形成してなるものであり、下階天井大梁２２Ａ（詳しくはその上フランジ２２ａ）の上面と上階床大梁２３Ａ（詳しくはその下フランジ２３ａ）の下面との間の梁間隙間５４に設けられたベース部４５ａと、上階床大梁２３Ａよりも屋内側においてベース部４５ａの屋内側端部から上方に延びる上当接部４５ｂと、下階天井大梁２２Ａよりも屋外側においてベース部４５ａの屋外側端部から下方に延びる下当接部４５ｃとを備える。これにより、規制部材４５は、全体として略Ｚ字状に形成されている。
【００４４】
規制部材４５のベース部４５ａは、その厚み寸法が梁間隙間４３の上下幅と略同じとされており、それ故ベース部４５ａは下階天井大梁２２Ａの上面と上階床大梁２３Ａの下面とに当接されている。上当接部４５ｂは、上階床大梁２３Ａよりも屋内側において上階床大梁２３Ａの下フランジ２３ａよりも上方に延びており、下フランジ２３ａの屋内側端部に当接されている。下当接部４５ｃは、下階天井大梁２２Ａよりも屋外側において上フランジ２２ａとウェブ２２ｂとのコーナ部に形成された円弧部２２ｃよりも下方に延びており、ウェブ２２ｂの屋外側面に当接されている。また、下当接部４５ｃは、下階天井大梁２２Ａ（ウェブ２２ｂ）と外壁パネル４０の外壁材４１との間に設けられた上記隙間５３に配設されている。
【００４５】
なお、本実施形態では、上当接部４５ｂの上下幅と下当接部４５ｃの上下幅とがほぼ同じ寸法に設定されている。但し、上当接部４５ｂの上下幅と下当接部４５ｃの上下幅は必ずしも同じ寸法とする必要はなく、上当接部４５ｂの上下幅を下当接部４５ｃの上下幅よりも大きくしてもよいし、あるいは小さくしてもよい。
【００４６】
また、図３に示すように、規制部材４５は上階床大梁２３Ａの長手方向に沿って所定の間隔で複数設けられている。具体的には、各規制部材４５は、上階床大梁２３Ａの長手方向において各キャンチ梁３５の連結部位にそれぞれ設けられている。
【００４７】
なお、規制部材４５は、施工現場において吹き抜け下ユニット２０ａが設置された後、同ユニット２０ａの下階天井大梁２２Ａ上に載置され、その後同ユニット２０ａの上方に吹き抜け上ユニット２０ｂが設置されることで下階天井大梁２２Ａと上階床大梁２３Ａとの間に配設される。
【００４８】
次に、規制部材４５の作用について説明する。
【００４９】
上述したように、バルコニー３０の荷重により上階床大梁２３Ａが屋外側に倒れ込むように回転すると、上階床大梁２３Ａの下フランジ２３ａが下階天井大梁２２Ａの上フランジ２２ａに対し屋内側に相対変位する。ここで、上記構成では、上階床大梁２３Ａの下フランジ２３ａの屋内側端部に規制部材４５の上当接部４５ｂが当接されているため、規制部材４５に対する上階床大梁２３Ａの下フランジ２３ａの屋内側への移動が規制されている。そして、規制部材４５の下当接部４５ｃは下階天井大梁２２Ａの屋外側端部となるウェブ２２ｂに当接されているため、下階天井大梁２２Ａに対する規制部材４５の屋内側への移動が規制されている。よって、この場合、下階天井大梁２２Ａに対する上階床大梁２３Ａの下フランジ２３ａの屋内側への相対変位が規制されている。この場合、バルコニー３０の荷重により上階床大梁２３Ａが回転するのを規制することができるため、キャンチ梁３５の沈み込みを、ひいてはバルコニー３０の沈み込みを抑制することができる。
【００５０】
以上、詳述した本実施形態の構成によれば、以下の優れた効果が得られる。
【００５１】
上階床大梁２３Ａと下階天井大梁２２Ａとの対向部分に、下階天井大梁２２Ａの上端部が屋外側、上階床大梁２３Ａの下端部が屋内側となるそれら両者の相対変位を規制する規制部材４５を設けた。この場合、上階床大梁２３Ａの下端部（下フランジ２３ａ）が下階天井大梁２２Ａの上端部（上フランジ２２ａ）に対し屋内側に相対変位するのが規制されるため、バルコニー３０の荷重により上階床大梁２３Ａが回転するのを規制することができる。そのため、バルコニー３０の沈み込みを抑制することができる。そして、規制部材４５は上階床大梁２３Ａと下階天井大梁２２Ａとの対向部分に設けられているため、規制部材４５がバルコニー３０に隣接する吹き出し空間１８を形成するに際し邪魔になることがない。これにより、バルコニー３０に隣接して設けられる屋内空間のプランニングの自由度を確保しつつ、バルコニー３０の沈み込みを抑制することができる。
【００５２】
また、規制部材４５により上階床大梁２３Ａの回転を規制することで、上階床大梁２３Ａ上に設けられた壁材等の屋内側の部材が位置ずれ等を起こすのを抑制することもできる。
【００５３】
規制部材４５に、上階床大梁２３Ａに当接する上当接部４５ｂと、下階天井大梁２２Ａに当接する下当接部４５ｃとを備え、上当接部４５ｂが上階床大梁２３Ａに当接しかつ下当接部４５ｃが下階天井大梁２２Ａに当接することにより、上階床大梁２３Ａの下端部と下階天井大梁２２Ａの上端部との上記相対変位を規制することとした。この場合、現場施工時に上階床大梁２３Ａと下階天井大梁２２Ａとの間に規制部材４５を設置する等の簡易な作業を行うだけで上記の効果を得ることができる。
【００５４】
具体的には、規制部材４５に、上階床大梁２３Ａと下階天井大梁２２Ａとの間の梁間隙間５４に設けられたベース部４５ａをさらに備え、上当接部４５ｂをベース部４５ａにおいて上階床大梁２３Ａの下端部よりも屋内側に設け、下当接部４５ｃをベース部４５ａにおいて下階天井大梁２２Ａの上端部よりも屋外側に設けることとした。この場合、上当接部４５ｂが上階床大梁２３Ａの下端部よりも屋内側において上階床大梁２３Ａに当接し、かつ下当接部４５ｃが下階天井大梁２２Ａの上端部よりも屋外側において下階天井大梁２２Ａに当接することで、下階天井大梁２２Ａの上端部と上階床大梁２３Ａの下端部との上記相対変位が規制される。この場合、上階床大梁２３Ａに対して規制部材４５を取り付けるための取付孔等を加工する等して設けなくても規制部材４５を各梁２２Ａ，２３Ａの対向部分に設置できるため、構成の簡素化を図ることができる。
【００５５】
ところで、上階床大梁２３Ａの下フランジ２３ａ又は下階天井大梁２２Ａの上フランジ２２ａに貫通孔を設け、その貫通孔に当接部を貫通させる構成としても規制部材４５による上記相対変位の規制は可能ではある。しかしながら、この場合、当接部をピン等により長細形状に形成する必要があるため、規制部材４５による上記相対変位の規制時に、当接部に作用する荷重により当接部が破損するおそれがある。その点、上記構成では、当接部４５ｂ，４５ｃを幅の大きい板状形状にする等荷重に耐えうる形状とすることができるため、かかる不都合を回避することもできる。
【００５６】
また、規制部材４５において、上当接部４５ｂをベース部４５ａの屋内側端部から上方に延びるように設け、下当接部４５ｃをベース部４５ａの屋外側端部から下方に延びるように設けた。これにより、規制部材４５を全体として断面略Ｚ字状に形成することができるため、規制部材４５を簡素な構成とすることができる。
【００５７】
規制部材４５のベース部４５ａを梁間隙間５４の上下幅と略同じ厚みの板状とし、その上面を上階床大梁２３Ａの下面に当接させかつ下面を下階天井大梁２２Ａの上面に当接させた。この場合、上階床大梁２３Ａの回転時において梁間隙間５４が局所的に狭くなる部分ではベース部４５ａが回転の抵抗となるため上階床大梁２３Ａの回転を抑制することができる。これにより、バルコニー３０の沈み込みをより一層抑制することができる。
【００５８】
バルコニー３０に、上階床大梁２３Ａに連結され当該上階床大梁２３Ａに交差する方向に延びる複数のキャンチ梁３５を備え、規制部材４５を上階床大梁２３Ａの長手方向において各キャンチ梁３５の連結部位にそれぞれ設けた。バルコニー３０の荷重は各キャンチ梁３５を介して上階床大梁２３Ａに伝達されるため、上階床大梁２３Ａの長手方向において各キャンチ梁３５の連結部位ではより大きな回転力が発生することが考えられる。その点、かかる構成とすることで、バルコニー３０の荷重により上階床大梁２３Ａが回転するのを効果的に抑制することができ、ひいてはバルコニー３０の沈み込みを効果的に抑制することができる。
【００５９】
本発明は上記実施形態に限らず、例えば次のように実施されてもよい。
【００６０】
（１）規制部材４５の形態は上記実施形態における形態に限定されることなく、その他の形態としてもよい。例えば図６（ａ）に示すように、上当接部４５ｂから上階床大梁２３Ａの下フランジ２３ａの上面に沿って屋外側に延びる延出部４５ｄをさらに規制部材４５に設けてもよい。この場合、上階床大梁２３Ａがバルコニー３０の荷重によって回転する際に上階床大梁２３Ａの下フランジ２３ａが上当接部４５ｂを乗り越えるのを延出部４５ｄにより防止することができる。そのため、下フランジ２３ａが上当接部４５ｂを乗り越えることで上階床大梁２３Ａの回転を上当接部４５ｂにより規制できなくなる不都合を回避できる。
【００６１】
また、図６（ｂ）に示すように、規制部材４５にキャンチ梁３５を下方から支持する支持部４５ｅをさらに設けてもよい。支持部４５ｅは、例えば上記実施形態の規制部材４５に別途板金等を溶接固定することにより設けられる。この場合、キャンチ梁３５の荷重の一部を支持部４５ｅにより支えることができるため、キャンチ梁３５を介して上階床大梁２３Ａに伝わるバルコニー３０の荷重を軽減させることができる。これにより、上階床大梁２３Ａに生じる回転力を軽減させることができるため、バルコニー３０の沈み込みをさらに抑制することが期待できる。
【００６２】
さらに、図６（ｃ）に示すように、規制部材４５に、上当接部４５ｂから下方に延びてかつ当該上当接部４５ｂと上下に連続する延出部４５ｆを設け、上当接部４５ｂに上階床大梁２３Ａの屋内側端部を当接させ延出部４５ｆに下階天井大梁２２Ａの屋内側端部を当接させる構成としてもよい。この場合、バルコニー３０の沈み込みを抑制するための規制部材４５を、上階床大梁２３Ａの屋内側端部と下階天井大梁２２Ａの屋内側端部との位置合わせにも用いることができる。
【００６３】
（２）上記実施形態では、ベース部４５ａより下方に延びる下当接部４５ｃを下階天井大梁２２Ａよりも屋外側に設けたが、これを変更して、下当接部を下階天井大梁２２Ａの上フランジ２２ａを貫通するように設けてもよい。図７にその一例を示す。図７（ａ）に示す規制部材４５には、上記実施形態の下当接部４５ｃに代えて、ベース部４５ａの幅方向（屋内外方向）中間位置から下方に延びる規制ピン６１が設けられている。図７（ｂ）に示すように、規制部材４５において、規制ピン６１は下階天井大梁２２Ａの上フランジ２２ａに形成された貫通孔６２に挿通されている。貫通孔６２は、規制ピン６１の外径と略同一の内径を有して形成されている。この場合、規制ピン６１が貫通孔６２の内周面に当接されることにより下階天井大梁２２Ａの上フランジ２２ａに対する規制部材４５の屋内側への移動が規制される。そのため、上記実施形態と同様、下階天井大梁２２Ａの上フランジ２２ａに対し上階床大梁２３Ａの下フランジ２３ａが屋内側へ相対変位するのを規制することができる。
【００６４】
（３）上記実施形態では、規制部材４５を施工現場にて下階天井大梁２２Ａと上階床大梁２３Ａとの対向部分に設置することとしたが、これを変更し、規制部材４５を製造工場にて予め下階天井大梁２２Ａ又は上階床大梁２３Ａに固定するようにしてもよい。例えば、下階天井大梁２２Ａに予め規制部材を固定する場合には、図８に示すように、上記実施形態の規制部材４５に代えて、下当接部４５ｃを有しない断面略Ｌ字状の規制部材４５を用いてもよい。この場合、規制部材４５が下階天井大梁２２Ａと一体化されているため、下階天井大梁２２Ａに対する規制部材４５の屋内側への移動が規制されている。そのため、上記実施形態と同様、下階天井大梁２２Ａの上フランジ２２ａに対し上階床大梁２３Ａの下フランジ２３ａが屋内側へ相対変位するのを規制することができる。そして、規制部材４５が製造工場において吹き抜け上ユニット２０ｂの上階床大梁２３Ａに固定されるため、施工現場では吹き抜け下ユニット２０ａ及び吹き抜け上ユニット２０ｂを上下に積層設置するだけで規制部材４５を階間部分の所定位置に設置することができる。これにより、施工現場における作業負荷の軽減を図ることができる。
【００６５】
（４）上記実施形態では、規制部材４５を上階床大梁２３Ａの長手方向において各キャンチ梁３５の連結部位に設けたが、これに代えて又は加えて、同方向におけるその他の部位に規制部材４５を設けてもよい。例えば、規制部材４５を上階床大梁２３Ａの長手方向全域に設けてもよい。具体的には、規制部材４５を上階床大梁２３Ａの長手方向に沿って長尺状に形成し、詳細には上階床大梁２３Ａの長さと略同じ長さで形成することが考えられる。この場合、規制部材４５が上階床大梁２３Ａの長手方向全域に配設されるため、上階床大梁２３Ａの下フランジ２３ａが下階天井大梁２２Ａの上フランジ２２ａに対し相対変位するのを規制する効果を高めることができる。これにより、バルコニー３０の沈み込みをより一層抑制することができる。なお、規制部材４５を上階床大梁２３Ａの長手方向全域に設けるに際し、複数の規制部材４５を上階床大梁２３Ａの長手方向全域に分散させて配置してもよい。
【００６６】
（５）上記実施形態では、規制部材４５のベース部４５ａの厚みを梁間隙間４３の幅と同じとしたが、ベース部４５ａの厚みを梁間隙間４３の幅よりも小さくしてもよい。
【００６７】
（６）上記実施形態では、バルコニー３０を上階床大梁２３Ａに連結した場合について説明したが、バルコニー３０を下階天井大梁２２Ａに連結した場合にも本発明を適用することができる。かかる構成では、バルコニー３０の荷重により下階天井大梁２２Ａが屋外側に倒れ込むように回転すると、下階天井大梁２２Ａの上フランジ２２ａが屋外側に向けて変位する。このとき、下階天井大梁２２Ａ及び上階床大梁２３Ａに着目すると、下階天井大梁２２Ａの上フランジ２２ａが上階床大梁２３Ａの下フランジ２３ａに対して屋外側に相対変位する。ここで、下階天井大梁２２Ａは屋外側端部となるウェブ２２ｂにおいて規制部材４５の下当接部４５ｃに当接されているため、規制部材４５に対する下階天井大梁２２Ａの上フランジ２２ａの屋外側への移動が規制されている。そして、規制部材４５の上当接部４５ｂは上階床大梁２３Ａの下フランジ２３ａの屋内側端部に当接されているため、上階床大梁２３Ａの下フランジ２３ａに対する規制部材４５の屋外側への移動が規制されている。よって、この場合、上階床大梁２３Ａの下フランジ２３ａに対する下階天井大梁２２Ａの上フランジ２２ａの屋外側への相対移動が規制されている。これにより、バルコニー３０を下階天井大梁２２Ａに連結する場合においても、バルコニー３０の沈み込みを抑制することができる。
【００６８】
（７）上記実施形態では、張出部としてのバルコニー３０が上階床大梁２３Ａに連結された場合を例に説明したが、窓部の上方において建物本体１２から張り出す庇等その他の張出部が上階床大梁２３Ａに連結される場合にも本発明を適用することができる。
【符号の説明】
【００６９】
１０…建物、１２…建物本体、２０…建物ユニット、２２Ａ…下階天井梁としての下階天井大梁、２３Ａ…上階床梁としての上階床大梁、３０…張出部としてのバルコニー、３５…支持梁としてのキャンチ梁、４５…規制部材、４５ａ…ベース部、４５ｂ…上当接部、４５ｃ…下当接部。
【図１】
2011236700.tif 000003
【図２】
2011236700.tif 000004
【図３】
2011236700.tif 000005
【図４】
2011236700.tif 000006
【図５】
2011236700.tif 000007
【図６】
2011236700.tif 000008
【図７】
2011236700.tif 000009
【図８】
2011236700.tif 000010